【手続補正書】
【提出日】平成20年11月10日(2008.11.10)
【手続補正１】
【補正対象書類名】特許請求の範囲
【補正対象項目名】請求項１
【補正方法】変更
【補正の内容】
【請求項１】
極座標変調装置であって、
電力増幅部と、
位相情報を含む第１の変調信号を生成する位相変調部と、
振幅情報を含む第２の変調信号を生成する振幅信号制御部と、
前記第２の変調信号の振幅が所定の制限値よりも大きい場合、前記所定の制限値を超えた部分が前記所定の制限値以下の振幅となるように、前記第２の変調信号の波形を整形した波形整形変調信号を生成する波形整形部と、
電源電圧を出力する電圧制御部と、
前記電圧制御部から出力される前記電源電圧に基づいて前記波形整形変調信号をトランジスタによって増幅し、増幅された信号を振幅変調電圧として、前記電力増幅部に供給する振幅変調電圧供給部とを備え、
前記電力増幅部は、前記第１の変調信号を前記振幅変調電圧に基づいて増幅することによって、前記第１の変調信号が振幅変調された第３の変調信号を出力し、
前記波形整形部は、前記電力増幅部が発生する歪み電力の変化の要因に従って、前記電力増幅部で発生する隣接チャネル漏洩電力が第１の所定値以下となるように、又は、受信帯域における電力が第２の所定値以下となるように、前記所定の制限値を調整することを特徴とする、極座標変調装置。
【手続補正２】
【補正対象書類名】特許請求の範囲
【補正対象項目名】請求項１１
【補正方法】変更
【補正の内容】
【請求項１１】
電力増幅部と、
位相情報を含む第１の変調信号を生成する位相変調部と、
振幅情報を含む第２の変調信号を生成する振幅信号制御部と、
電源電圧を出力する電圧制御部と、
前記電圧制御部から出力される前記電源電圧に基づいて前記第２の変調信号をトランジスタによって増幅し、増幅された信号を振幅変調電圧として、前記電力増幅部に供給する振幅変調電圧供給部とを備え、
前記電力増幅部は、前記第１の変調信号を前記振幅変調電圧に基づいて増幅することによって、前記第１の変調信号が振幅変調された第３の変調信号を出力し、
前記電圧制御部は、前記トランジスタから出力される前記振幅変調電圧の最大値に基づいて求められる電圧を、前記電源電圧として、前記振幅変調電圧供給部に供給することを特徴とする、極座標変調装置。
【手続補正３】
【補正対象書類名】特許請求の範囲
【補正対象項目名】請求項２１
【補正方法】変更
【補正の内容】
【請求項２１】
電力増幅部と、
位相情報を含む第１の変調信号を生成する位相変調部と、
振幅情報を含む第２の変調信号を生成する振幅信号制御部と、
電源電圧を出力する電圧制御部と、
前記電圧制御部から出力される前記電源電圧に基づいて前記第２の変調信号をトランジスタによって増幅し、増幅された信号を振幅変調電圧として、前記電力増幅部に供給する振幅変調電圧供給部とを備え、
前記電力増幅部は、前記第１の変調信号を前記振幅変調電圧に基づいて増幅することによって、前記第１の変調信号が振幅変調された第３の変調信号を出力し、
前記電圧制御部は、前記トランジスタを定電流領域で動作させるような前記電源電圧を前記振幅変調電圧供給部に供給することを特徴とする、極座標変調装置。
【手続補正４】
【補正対象書類名】特許請求の範囲
【補正対象項目名】請求項２９
【補正方法】変更
【補正の内容】
【請求項２９】
ベースバンド信号を生成及び処理するベースバンド部と、
前記ベースバンド部が生成したベースバンド信号を送信信号に変換する送信部と、
受信信号を受信するアンテナ部と、
前記受信信号をベースバンド信号に変換して、当該ベースバンドを前記ベースバンド部に入力する受信部と、
前記送信信号を前記アンテナ部に伝送すると共に、前記受信信号を前記受信回路に伝送する共用部とを備え、
前記送信部は、前記ベースバンド信号を前記送信信号に変換するための極座標変換装置を含み、
前記極座標変換装置は、
電力増幅部と、
前記ベースバンド信号から、位相情報を含む第１の変調信号を生成する位相変調部と、
前記ベースバンド信号から、振幅情報を含む第２の変調信号を生成する振幅信号制御部と、
前記第２の変調信号の振幅が所定の制限値よりも大きい場合、前記所定の制限値を超えた部分が前記所定の制限値以下の振幅となるように、前記第２の変調信号の波形を整形した波形整形変調信号を生成する波形整形部と、
電源電圧を出力する電圧制御部と、
前記電圧制御部から出力される前記電源電圧に基づいて前記波形整形変調信号をトランジスタによって増幅し、増幅された信号を振幅変調電圧として、前記電力増幅部に供給する振幅変調電圧供給部とを備え、
前記電力増幅部は、前記第１の変調信号を前記振幅変調電圧に基づいて増幅することによって、前記第１の変調信号が振幅変調された第３の変調信号を出力し、
前記波形整形部は、前記電力増幅部で発生する歪み電力の変化の要因に従って、前記電力増幅部で発生する隣接チャネル漏洩電力が第１の所定値以下となるように、又は、受信帯域における電力が第２の所定値以下となるように、前記所定の制限値を調整することを特徴とする、無線通信機器。
【手続補正５】
【補正対象書類名】特許請求の範囲
【補正対象項目名】請求項３０
【補正方法】変更
【補正の内容】
【請求項３０】
ベースバンド信号を生成及び処理するベースバンド部と、
前記ベースバンド部が生成したベースバンド信号を送信信号に変換する送信部と、
受信信号を受信するアンテナ部と、
前記受信信号をベースバンド信号に変換して、当該ベースバンドを前記ベースバンド部に入力する受信部と、
前記送信信号を前記アンテナ部に伝送すると共に、前記受信信号を前記受信回路に伝送する共用部とを備え、
前記送信部は、前記ベースバンド信号を前記送信信号に変換するための極座標変換装置を含み、
前記極座標変換装置は、
電力増幅部と、
前記ベースバンド信号から、位相情報を含む第１の変調信号を生成する位相変調部と、
前記ベースバンド信号から、振幅情報を含む第２の変調信号を生成する振幅信号制御部と、
電源電圧を出力する電圧制御部と、
前記電圧制御部から出力される前記電源電圧に基づいて前記第２の変調信号をトランジスタによって増幅し、増幅された信号を振幅変調電圧として、前記電力増幅部に供給する振幅変調電圧供給部とを備え、
前記電力増幅部は、前記第１の変調信号を前記振幅変調電圧に基づいて増幅することによって、前記第１の変調信号が振幅変調された第３の変調信号を出力し、
前記電圧制御部は、前記トランジスタから出力される前記振幅変調電圧の最大値に基づいて求められる電圧を、前記電源電圧として、前記振幅変調電圧供給部に供給することを特徴とする、無線通信機器。
【手続補正６】
【補正対象書類名】特許請求の範囲
【補正対象項目名】請求項３１
【補正方法】変更
【補正の内容】
【請求項３１】
ベースバンド信号を生成及び処理するベースバンド部と、
前記ベースバンド部が生成したベースバンド信号を送信信号に変換する送信部と、
受信信号を受信するアンテナ部と、
前記受信信号をベースバンド信号に変換して、当該ベースバンドを前記ベースバンド部に入力する受信部と、
前記送信信号を前記アンテナ部に伝送すると共に、前記受信信号を前記受信回路に伝送する共用部とを備え、
前記送信部は、前記ベースバンド信号を前記送信信号に変換するための極座標変換装置を含み、
前記極座標変換装置は、
電力増幅部と、
前記ベースバンド信号から、位相情報を含む第１の変調信号を生成する位相変調部と、
前記ベースバンド信号から、振幅情報を含む第２の変調信号を生成する振幅信号制御部と、
電源電圧を出力する電圧制御部と、
前記電圧制御部から出力される前記電源電圧に基づいて前記第２の変調信号をトランジスタによって増幅し、増幅された信号を振幅変調電圧として、前記電力増幅部に供給するシリーズレギュレータとを備え、
前記電力増幅部は、前記第１の変調信号を前記振幅変調電圧に基づいて増幅することによって、前記第１の変調信号が振幅変調された第３の変調信号を出力し、
前記電圧制御部は、前記トランジスタを低電流領域で動作させるように、前記電源電圧を前記シリーズレギュレータに供給することを特徴とする、無線通信機器。
【手続補正７】
【補正対象書類名】明細書
【補正対象項目名】００２１
【補正方法】変更
【補正の内容】
【００２１】
本発明は、極座標変調装置に向けられている。そして、上記目的を達成させるために、本発明の第１の局面による極座標変調装置は、電力増幅部と、位相情報を含む第１の変調信号を生成する位相変調部と、振幅情報を含む第２の変調信号を生成する振幅信号制御部と、第２の変調信号の振幅が所定の制限値よりも大きい場合、所定の制限値を超えた部分が所定の制限値以下の振幅となるように、第２の変調信号の波形を整形した波形整形変調信号を生成する波形整形部と、電源電圧を出力する電圧制御部と、電圧制御部から出力される電源電圧に基づいて波形整形変調信号をトランジスタによって増幅し、増幅された信号を振幅変調電圧として、電力増幅部に供給する振幅変調電圧供給部とを備え、電力増幅部は、第１の変調信号を振幅変調電圧に基づいて増幅することによって、第１の変調信号が振幅変調された第３の変調信号を出力し、波形整形部は、電力増幅部が発生する歪み電力の変化の要因に従って、電力増幅部で発生する隣接チャネル漏洩電力が第１の所定値以下となるように、又は、受信帯域における電力が第２の所定値以下となるように、所定の制限値を調整することを特徴とする。
【手続補正８】
【補正対象書類名】明細書
【補正対象項目名】００２７
【補正方法】変更
【補正の内容】
【００２７】
本発明の第２の局面による極座標変調装置は、電力増幅部と、位相情報を含む第１の変調信号を生成する位相変調部と、振幅情報を含む第２の変調信号を生成する振幅信号制御部と、電源電圧を出力する電圧制御部と、電圧制御部から出力される電源電圧に基づいて第２の変調信号をトランジスタによって増幅し、増幅された信号を振幅変調電圧として、電力増幅部に供給する振幅変調電圧供給部とを備え、電力増幅部は、第１の変調信号を振幅変調電圧に基づいて増幅することによって、第１の変調信号が振幅変調された第３の変調信号を出力し、電圧制御部は、トランジスタから出力される振幅変調電圧の最大値に基づいて求められる電圧を、電源電圧として振幅変調電圧供給部に供給することを特徴とする。
【手続補正９】
【補正対象書類名】明細書
【補正対象項目名】００３３
【補正方法】変更
【補正の内容】
【００３３】
本発明の第３の局面による極座標変調装置は、電力増幅部と、位相情報を含む第１の変調信号を生成する位相変調部と、振幅情報を含む第２の変調信号を生成する振幅信号制御部と、電源電圧を出力する電圧制御部と、電圧制御部から出力される電源電圧に基づいて第２の変調信号をトランジスタによって増幅し、増幅された信号を振幅変調電圧として、電力増幅部に供給する振幅変調電圧供給部とを備え、電力増幅部は、第１の変調信号を振幅変調電圧に基づいて増幅することによって、第１の変調信号が振幅変調された第３の変調信号を出力し、電圧制御部は、トランジスタを定電流領域で動作させるような電源電圧を振幅変調電圧供給部に供給することを特徴とする。
【手続補正１０】
【補正対象書類名】明細書
【補正対象項目名】００８９
【補正方法】変更
【補正の内容】
【００８９】
また、極座標変調装置２００が複数の変調方式を用いて信号を出力することができる場合を考える。使用する変調方式は、電力増幅部が発生する歪み電力の変化の要因となるので、波形整形部２０４は、振幅制御信号に基づいて、使用する変調方式を認識し、使用する変調方式に従って、ピークリミット値を調整する。スイッチ部２０７には、使用する変調方式に関する変調方式情報が入力されているとする。スイッチ部２０７は、使用する変調方式に従って、波形整形変調信号を入力するシリーズレギュレータを選択する。変調方式が異なれば、ピークリミット値が異なることとなるので、スイッチ部２０７によって、適切な電源電圧及びシリーズレギュレータが用いられるように切り替えが行われれば、電力利用の効率がさらに向上することとなる。